(57)【特許請求の範囲】
【請求項１】
供給ガス用の供給入口側面（１２）と、ろ過物用のろ過物出口（１６、１８）とを有するフィルタ（１０）を備え、供給ガス溝（２０）と、ろ過物溝（２２）と、前記供給入口側面（１２）と前記ろ過物出口（１６、１８）との間の１つ以上の仕切板（３４）とをさらに備える微粒子ろ過装置（１００）であって、前記供給入口側面（１２）の反対側に、集塵室（５２）と一緒に微粒子出口（５０）が配置され、前記集塵室（５２）は前記微粒子出口（５０）に取り付けられて、前記供給ガス溝（２０）内に保持される微粒子を回収する微粒子ろ過装置（１００）において、
―  噴射装置（６０）が前記ろ過物溝（２２）に流体が直接流通できる形態で、前記フィルタ（１０）に接続され、
―  前記ろ過物出口（１６、１８）は、前記フィルタ（１０）の対向する２つの側面に設けられ、
―  前記噴射装置（６０）は、１方のろ過物出口（１６、１８）に設けられ、
―  前記供給ガスの一部分は、前記供給ガス溝（２０）と、前記噴射装置との間に設けられた流体管路（７０）を介することによって、噴射される媒体のための駆動ガスとして前記噴射装置（６０）へと方向変更されることを特徴とする、微粒子ろ過装置（１００）。
【請求項２】
前記集塵室（５２）は、取外し可能に前記フィルタ（１０）に接続されることを特徴とする、請求項１に記載の装置。
【請求項３】
前記フィルタ（１０）が取付けられた状態で、前記集塵室（５２）は、前記フィルタ（１０）の下側に取り付けられることを特徴とする、請求項１又は２に記載の装置。
【請求項４】
前記供給ガスは、前記供給入口側面（１２）に対して偏向されることを特徴とする、請求項３に記載の装置。
【請求項５】
前記供給ガスは、供給ガス板（３０）内に配置される供給ガス溝（２０）に沿って移動することを特徴とする、請求項１〜４のいずれか１項に記載の装置。
【請求項６】
前記ろ過物は、ろ過物板（３２）内に配置されるろ過物溝（２２）に沿って移動することを特徴とする、請求項１〜５のいずれか１項に記載の装置。
【請求項７】
連続する板（３０、３２）の前記溝（２０、２２）は、直交して並べられることを特徴とする、請求項５又は６に記載の装置。
【請求項８】
前記板（３０、３２）は積層方向（４０）に積層されるとともに、気体透過性仕切板（３４）により分離されることを特徴とする、請求項５〜７のいずれか１項に記載の装置。
【請求項９】
触媒材料が、１つ以上の供給ガス溝（２０）内に設けられることを特徴とする、請求項１〜８のいずれか１項に記載の装置。
【請求項１０】
前記１つ以上の供給ガス溝（２０）は酸化触媒を設けることを特徴とする、請求項９に記載の装置。
【請求項１１】
触媒材料が、１つ以上のろ過物ガス溝（２２）内に設けられることを特徴とする、請求項１〜１０のいずれか１項に記載の装置。
【請求項１２】
前記１つ以上のろ過物溝（２２）は、窒素酸化物を還元する触媒を設けることを特徴とする、請求項１１に記載の装置。
【請求項１３】
前記触媒は、前記仕切板（３４）の上、及び／又は、前記分離壁（３６）の上に設けられることを特徴とする、請求項１１又は１２に記載の装置。
【請求項１４】
前記供給ガス溝と前記ろ過物溝（２０、２２）との間の前記仕切板（３４）は、前記積層方向（４０）に対して垂直に配向されることを特徴とする、請求項１〜１３のいずれか１項に記載の装置。
【請求項１５】
分離壁（３６）が、１つの板（３０、３２）内の前記溝（２０、２２）の間に配置されることと、１つ以上の前記分離壁（３６）は気密性であることとを特徴とする、請求項１〜１４のいずれか１項に記載の装置。
【請求項１６】
分離壁（３６）が、１つの板（３０、３２）内の前記溝（２０、２２）の間に配置されることと、１つ以上の前記分離壁（３６）は仕切板（３４）として機能することとを特徴とする、請求項１〜１４のいずれか１項に記載の装置。
【請求項１７】
分離壁（３６）が、１つの板（３０、３２）内の前記溝（２０、２２）の間に配置されて、前記同じ板（３０、３２）内の溝（２０、２２）の間の１つ以上の分離壁（３６）は穴が開けられることを特徴とする、請求項１〜１４のいずれか１項に記載の装置。
【請求項１８】
前記流体管路（７０）に弁（７６）が設けられて、前記噴射装置（６０）へと方向変更される前記供給ガスの量を調節することを特徴とする、請求項１〜１７のいずれか１項に記載の装置。
【請求項１９】
前記流体管路（７０）が、前記供給ガス溝（２０）の下流側端部と前記噴射装置（６０）との間に設けられることを特徴とする、請求項１８に記載の装置。
【請求項２０】
前記流体管路（７０）は、前記フィルタ（１０）と前記噴射装置（６０）との間の界面（６４）と並べて予熱可能に配置されることを特徴とする、請求項１９に記載の装置。
【請求項２１】
微粒子フィルタ（７２）が、前記流体管路（７０）内に設けられることを特徴とする、請求項１８〜２０のいずれか１項に記載の装置。
【請求項２２】
加熱器（７４）が前記流体管路（７０）に結合されることを特徴とする、請求項１８〜２１のいずれか１項に記載の装置。
【請求項２３】
前記溝板（３０、３２）は金属により製作されることを特徴とする、請求項５〜２２のいずれか１項に記載の装置。
【請求項２４】
前記仕切板（３４）は焼結金属により製作されることを特徴とする、請求項１〜２３のいずれか１項に記載の装置。
【発明の詳細な説明】
【技術分野】
【０００１】
本発明は、請求項１の前提部分に記載の微粒子ろ過装置に関する。
【背景技術】
【０００２】
微粒子フィルタは、ディーゼル機関用の排気後処理において、ますます標準的な部品となってきている。最も一般的に用いられる大型車両エンジン用の微粒子フィルタは、コーディエライト又は炭化けい素（ＳｉＣ）等のセラミック基材に基づいている。これらは、通常、モノリス基材として製作される。モノリス基材は、多数の平行且つ一端が閉じられた溝を有し、一部の溝はモノリスの入口で閉じられて、一部の溝はモノリスの出口で閉じられる。排気ガスが基材の溝壁を通過させられるときに、微粒子はろ過される。効率は通常高く、９０％を超える。捕集された微粒子は酸化によってフィルタから除去される。ＮＯ２が排気ガス中に存在する場合、酸化は、約２５０°Ｃから始まる低温で起こるだろう、また、酸素による酸化の場合、約６００°Ｃの高温で起こるだろう。高温酸化の間の温度制御は、微粒子フィルタの耐久性にとって極めて重要である。微粒子フィルタは、局所温度極大値に特に敏感である。このような局所温度極大値は、不揃いな煤煙の捕集によって、又は、不完全なフィルタ再生処置によって引き起こされうる。捕集された煤煙の一部は酸化によって除去出来ず、再生後に残った灰は、別途、主に手作業によって処理されなければならないが、消音器を取り外してフィルタを洗浄することによって処理される。
【０００３】
上記に記載のろ過装置は、２０年以上の間、商業的に入手可能であった。特許文献１は、波形フィルタ材料と平面フィルタ材料を一緒にする、いくつかの方法を示す。波形フィルタシートを積層することが提案されるが、積層された波型フィルタシートにおいて、連続するシートの流体溝が９０°回転された状態で互いに直交して配向される。供給ガスは供給ガス用側面を入り、ろ過物は、供給ガス用側面に直交する側面で積層体を出るが、例えば、未処理排気ガスが供給ガスである場合、ろ過済み排気ガスが出る。
【０００４】
特許文献２において、小型のセラミックモノリスを備えて交差流ろ過を得る配置が開示される。配置において、ろ過物はモジュールの外側に移動出来る。
【０００５】
焼結金属シートを積層して微粒子フィルタにする一例は、特許文献３に示される。中央開口部を有する大型シートはアコーディオン状に互いに溶接されて、排気ガスは、外側から多孔性シートを通って内側の開口部内へと向けられる。ろ過残渣、すなわち煤煙と灰とは、フィルタシートの下に配置される容器内に回収される。
【０００６】
特許文献４は、供給ガス用の供給入口側面と、ろ過物用のろ過物出口とを有するフィルタを備える微粒子ろ過装置であって、供給ガス溝と、ろ過物溝と、前記供給入口側面と前記ろ過物出口との間の１つ以上のダイアフラムとをさらに備える微粒子ろ過装置において、前記供給入口側面の反対側に、集塵室と一緒に微粒子出口が配置され、前記集塵室は前記微粒子出口に取り付けられて、前記供給ガス溝内に保持される微粒子を回収することを特徴とする微粒子ろ過装置を開示する。
【０００７】
特許文献１は、同様のろ過装置の下流の濃縮器から出る未ろ過流体を、新鮮な流体、つまりは、流体タンクのような供給源から新たに導入される流体と共に再循環させて、その一方で、ろ過物はろ過装置から導かれるものを開示する。
【先行技術文献】
【特許文献】
【０００８】
【特許文献１】米国特許第４，５８９，９８３号明細書
【特許文献２】米国特許第６，１２６，８３３号明細書
【特許文献３】欧州特許出願公開第１１３２５８２号明細書
【特許文献４】国際公開第２００５／００３５２８号パンフレット
【発明の概要】
【発明が解決しようとする課題】
【０００９】
本発明の目的は、煤煙と灰とをフィルタから容易に除去することを可能にする微粒子ろ過装置を提供することにある。
【課題を解決するための手段】
【００１０】
この目的は、請求項１の特徴によって達成される。その他の請求項及び説明に、本発明の有利な実施形態を開示する。
【００１１】
本発明によれば、供給ガス用の供給入口側面とろ過物用のろ過物出口とを有するフィルタを備える微粒子ろ過装置であって、供給ガス溝とろ過物溝と、供給入口側面とろ過物出口との間の１つ以上のダイアフラムとをさらに備える微粒子ろ過装置。供給入口側面の反対側に、集塵室と一緒に微粒子出口が配置され、集塵室は微粒子出口に取り付けられて、供給ガス溝内に保持される微粒子を回収する。好ましくは、微粒子出口は、供給入口側面の反対側に配置されて、ろ過物出口は、供給入口側面と交差して配置される。好適には、供給ガス溝とろ過物溝との間のダイアフラムは、積層方向に対して垂直に配向される。フィルタ本体は、立方体状の形状を呈しうる。好適には、ろ過物出口は、フィルタの対向する２つの側面に設けられうる。フィルタの交差流配置は、小型かつ効率的なろ過装置をもたらす。
【００１２】
集塵室は、微粒子出口に配置されて、供給ガス溝内に保持される微粒子を回収する。集塵室は、フィルタの再生中に形成される灰を回収する。ろ過装置は好適には自動車用途に用いられ、特には、ディーゼル機関を備える車両内で用いられる。このため、集塵室はサイズが適合可能であり、それによって少なくとも定期点検と定期点検の間において形成される灰を保持する。特には、集塵室の容積は、数回の車両の定期点検と定期点検の間の灰を保持するように設計可能である。供給ガス、すなわち自動車環境内の機関の排気ガスは、ろ過装置の供給ガス溝に入り、気体透過性ダイアフラムを通ってろ過物溝内に流入し、ろ過装置から出る。供給ガス内で運ばれる灰及び煤煙は、ダイアフラムにより保持される。煤煙は、ＮＯ２及び／又はＯ２により燃焼させることが可能な一方、灰は粘性力により供給溝の端へ、そして集塵室内へとゆっくりと移動させられる。好ましくは、溝は、断面積が数平方ミリメートルの範囲にあり、かなり大きなサイズである。
【００１３】
好ましくは、集塵室は取外し可能にフィルタに接続されうる。ろ過装置からの灰の除去及び集塵室の掃除は、非常に簡単な方法ですることが可能である。
【００１４】
好適な実施形態によれば、ろ過装置が動作環境に取り付けられるとき、集塵室は測地学的にフィルタの下に取り付け可能である。例えば、フィルタ、及び、取り付けられる集塵室は、水平方向の代わりに垂直方向に配向可能であり、その場合、供給入口側面は上側、集塵室は下側となる。灰を供給溝の端へ、そして集塵室内へと駆動する粘性力に加えて、提案の配置において、この駆動力は重力により補助される。好適には、供給ガスは供給入口側面に対して偏向されるが、例えば、フィルタの供給入口側面へと傾斜するダクトを配設することによって偏向される。
【００１５】
好適には、供給ガスは、供給ガス板内に配置される供給ガス溝に沿って移動可能であり、及び／又は、ろ過物は、ろ過物板内に配置されるろ過物溝に沿って移動可能である。この配置は単純な設計である。特には、連続する板の溝は直角に並べられることが可能である。
【００１６】
有利な実施形態によれば、板は積層方向に積層されるとともに、気体透過性ダイアフラムにより分離される。これによって、小型かつ単純なフィルタ設計となる。
【００１７】
さらに他の好適な実施形態において、触媒材料が、１つ以上又は全部の供給ガス溝内に設けられうる。好適には、１つ以上又は全部の供給ガス溝は酸化触媒を提供しうる。酸化触媒は、触媒層として好適には塗布されることが可能である。例として、触媒は、ＮＯ２の量を増加させることによって、相対的に低い温度での連続的なフィルタ再生を改善し、及び／又は、ＮＯｘ除去効率を向上させる。これによって、供給ガス溝内の煤煙の酸化が改善可能である。
【００１８】
追加的又は代替的に、触媒材料は、１つ以上のろ過ガス溝内に設けられうる。好適には、１つ以上又は全てのろ過物溝は、窒素酸化物（ＮＯｘ）を還元する触媒を提供可能である。これに代わる触媒は、ＮＯ２をＮＯに還元する触媒であっても良く、これは高ＮＯ２含有率が煤煙の酸化に必要である場合に特に好適でありうる。触媒材料は触媒層として好適に塗布可能である。
【００１９】
１つの板内におけるガス溝間の１つ以上の分離壁は、気密性であっても良い。このような場合、供給ガスは、供給溝とろ過物溝との間のダイアフラムのみを透過する。板の好適な実施形態は多数の平行分離壁を有する櫛状断面であり、平行分離壁の片側は、ガス溝の底部を形成する板状多孔質体に接続される。個々の板は上からみると開放しており、多孔質底部とこの底部上に直立する平行な分離壁とを有する。供給ガスがダイアフラムを通って流れるときにろ過物をろ過残渣から分離するダイアフラムとしての役割を果たす多孔性材料により形成される底部。この種類の板はモノリス体として製作されうる。複数のこのような板を上下に積層することで溝を有する配置が得られ、その配置において、連続する板の底部は前の板の溝の覆いを形成する。このため、底部と溝の覆いとは、供給ガスに対して透過性である。本実施形態において、溝の水力直径は、比較的大きくても良いため、より低い圧力降下がもたらされる、また、所与の水力直径において、容積当たりのダイアフラム面積を大きく出来る。水力直径とは、非円形の管及び溝内の流れを論じるときに一般に用いられる用語である。これは、溝の断面積の４倍を溝の流体濡れ縁長さで割ったものとして定義されうる。流体とは、付与されるせん断応力の下において、付与される応力がどれほど小さいかに関わらず、連続的に変形（流動）する物質として定義される。全ての液体と全ての気体は流体である。
【００２０】
板の他の実施形態は、ダイアフラム板の間に波形箔を用いるものである。この実施形態は、供給ガス溝内の酸化触媒、及び／又は、ろ過物溝内のＮＯｘ還元触媒と組み合わせると非常に有利である、なぜなら、この構造は圧力降下に対して、より敏感ではないためである。触媒被膜は、ダイアフラムの代わりに波形箔上に配置することが可能である。
【００２１】
追加的又は代替的に、１つの板内のガス溝間の１つ以上又は全ての分離壁はダイアフラムとして機能可能である。これによって、フィルタの板を同じ材料から一体成型製造することが可能となり、早くて経済的な製造となる。また、流れが１つ以上の溝内で詰まる場合は、流体は、透過性分離壁を通って、詰まった溝から詰まっていない溝へと流れることが出来るため、板内の溝間での均質化された流体流が得られる。
【００２２】
追加的又は代替的に、同じ板内のガス溝間の１つ以上の分離壁は、穴が開けられてもよい。フィルタの一部分が大きい圧力降下を受ける場合に、溝内の流体流は再分配可能であり、圧力降下は、例えば、ダイアフラムにより保持される微粒子の不均等な分布によって引き起こされる。
【００２３】
有利な実施形態によれば、噴射装置がろ過物溝と直接流体接続されて、フィルタに結合可能である。好適には、噴射装置は、１つのろ過物出口に置き換わることが出来る。噴射される媒体は、アンモニア、尿素、又は、他のアンモニア担体のようなＮＯｘ除去用還元剤であっても良い。ＮＯｘ除去用還元剤は、アンモニアＳＣＲ（ＳＣＲ＝選択触媒還元）に一般的に用いられる。噴射される媒体は、炭化水素ＳＣＲプロセス（ＨＣ−ＳＣＲ）におけるＮＯｘ還元に用いられる燃料、又は、ＮＯ２の一部又は全てのＮＯへの還元に用いられる燃料であってもよい。
【００２４】
供給ガスの一部分は、噴射される媒体のための駆動ガスとして噴射装置へと好ましくは方向変更可能である。方向変更される供給ガスの適切な量は、１５体積％までの範囲内、好適には１０体積％までの範囲内とされうる。方向変更されるガスの量は調節可能であるため、噴射される媒体の、蒸発及び／又は分解を可能にする、十分なエネルギーと滞留時間とを提供する。好適には、流体管路が、供給ガス溝の下流側端部と噴射装置との間に設けられる。方向変更される供給ガスの量は、供給ガス出口に取り付けられるガス管路の断面によって容易に適合可能である。方向変更されるガスは、フィルタへと向かう駆動力に加えて、蒸発及び／又は分解のためにエネルギーを還元剤の液滴に供給可能である。
【００２５】
流体管路は、フィルタと噴射装置との間の界面と並べて配置可能である。これは、噴射される媒体の有利な予熱をもたらす。フィルタの噴射側は熱交換器として機能可能であり、供給ガスとろ過物のそれぞれを冷却可能であるため、噴射される媒体を加熱する。噴射される還元剤の適正な気化及び／又は分解をもたらすには、供給ガスの温度が低すぎる場合、別体の加熱器がこの配置に結合可能である。所望の生成物への確実な分解をもたらす作用温度として、例えば、尿素は約４００°Ｃを必要とする。噴射される媒体を予熱するために、排気ガスからの熱が使用可能である場合、加熱に必要とされるエネルギーがより少ない。
【００２６】
好適には、微粒子フィルタは、流体管路内に設けられることが可能である。フィルタは、ウォールフロー式の上記のフィルタと同じ種類であっても良い。フィルタは、同じ集塵室を灰用に使用可能である。しかし、あらゆる種類のフィルタが流体管路内で使用可能であり、フロースルー式等が使用可能である。
【００２７】
さらに、加熱器が流体管路に結合されうる。加熱器は、選択的には、電気加熱器であっても良い。一般的に、触媒燃焼器又は火炎燃焼器も用いられうる。
【００２８】
好適な実施形態において、溝板及び／又はダイアフラムは金属で製作されうる。金属材料、特に焼結金属を使用する場合、フィルタは、セラミック材料に比べてより高い熱伝導率とより高い熱容量とを呈するため、熱非均質とホットスポットとを防ぐことができる。金属材料は、セラミックに比べて良好な力学的性質も呈する。
【００２９】
一般的に、ダイアフラムは、いかなる多孔性材料によって製作されることも可能である。多孔性金属、すなわち焼結金属を使用する場合、高い熱伝導率がもたらされ、従って局所的な熱点を防ぐことができる。
【００３０】
本発明と、上記及びその他の目的及び利点とは、以下の実施形態の詳細な説明から、最もよく理解されうるが、これらの実施形態に制限されるわけではない。本発明を示す略図は、下記のとおりである。
【図面の簡単な説明】
【００３１】
【図１】本発明にしたがったろ過装置の側面図（図１ａ）及び第１の好適なフィルタの斜視図（図１ｂ）である。
【図２】本発明にしたがったろ過装置の側面図（図２ａ）及び第２の好適なフィルタの斜視図（図２ｂ）である。
【図３】供給ガスが、フィルタに取り付けられる噴射装置へと方向変更される状態の、好適なろ過装置の第１の実施形態の上面図である。
【図４】供給ガスが、フィルタに取り付けられる噴射装置へと方向変更される状態の、好適なろ過装置の第２の実施形態の上面図である。
【発明を実施するための形態】
【００３２】
図面において、同等又は同様の要素は、同等の参照符号によって示されている。図面は、単なる略図であって、本発明の特定のパラメータを示すことを意図するものではない。さらに、図面は、本発明の一般的な実施形態のみを示すことを意図するものであり、したがって本発明の範囲を制限するものと見なされるべきではない。
【００３３】
本発明にしたがったろ過装置（図示せず）の好適なフィルタ１０が、図１ａ及び１ｂに示されている。フィルタ１０は、供給ガス用の供給入口側面１２とろ過物用のろ過物出口１６、１８とを有する。例えば、未処理排気ガスを供給流体とする場合は、ろ過物は、炭素粒子を含まない排気ガスである。供給ガスは、供給ガス板３０内に配置される供給ガス溝２０に沿って流れ、ろ過物は、ろ過物溝板３２内に配置されるろ過物溝２２に沿って流れる。板３０、３２は、積層方向４０に交互に積み重ねられるとともに、ガス透過性ダイアフラム３４により分離される。板３０、３２において、連続する溝板３０、３２の溝２０、２２は直交して並べられる、すなわち、図１ａに示されるような板３０、３２は、各積層レベルにおいて９０°回転される。
【００３４】
板３０、３２は、ダイアフラム３４として機能する多孔性底面上に位置する分離壁３６（数個のみ参照符号を付して図示）を有する櫛状の側面を呈する。これが、分離壁３６により分離される平行な溝２０、２２（数個のみ参照符号を付して図示）をもたらす。板３０、３２の最外側端部には、気密性又は多孔性かもしれない端部壁３８が配置される。気密性の端部壁３８の場合、これらが供給ガスを妨げるため、供給ガスは、溝２０だけを通ってフィルタ１０に入る。多孔性の端部壁３８の場合は、これらはダイアフラム３４と同じ材料によって製作されうる。個々の分離壁３６は、気密性又は気体透過性であってもよく、例えばダイアフラム３４と同じ材料により製作されるか、又は穴を開けられてもよい。１つの櫛状輪郭の個々の分離壁３６のグループはサブグループに分けられることが可能であり、例えば、一方のサブグループは気密性の分離壁を備え、他方のサブグループは気体透過性の分離壁を備える。２つのサブグループの個々の分離壁３６は、ある一定の順序で配置されうる（例えば、気密性分離壁の後に気体透過性分離壁が続く交互の順序で配置される）。その他の順序の配置も可能である。積層された板３０、３２は、板３０、３２間の安定的な結合を生み出すために、溶接、焼結等をされることも可能で、又は、機械的に押圧されて一緒にされることも可能である。板３０、３２はモノリス体として製作可能である。
【００３５】
フィルタ１０の角に位置する溝も、フィルタ１０をろ過装置１００内に取り付けるために用いられる材料、すなわち繊維マット又は金属板により閉じられうる。
【００３６】
気体透過性分離壁３６が用いられる場合、供給ガスは、ダイアフラム３４を通ってろ過物溝２２内に流入するだけでなく、隣接する溝２０にも流入しうる。このことは、動作中に個々の供給ガス溝２０が、更には、ろ過物溝２２が詰まる場合に有利である。そして、流体の流れは、詰まった溝に関わらず均質化されうる。他方、気密性分離壁３６は非常に安定なものにされうる。
【００３７】
図１ｂに示されるように、積層体は、２つの気密性端板１４ａ、１４ｂ間に取り付けられる。溝２０（数個のみ参照符号を付して図示）を有する第１の供給ガス板３０の上に、第２のろ過物板３２が、そのろ過物溝２２を供給ガス溝２０に対して直交させた状態で取り付けられる、その上に、第３の供給ガス板３０、第４のろ過物板３２、第５の供給ガス板３０、第６の供給ガス板３２が続く。図１ｂに矢印２４により示される供給ガス、すなわち、未燃炭素（煤煙）を運ぶディーゼル機関の排気ガスは、供給ガス溝２０内に流入するとともに、ダイアフラム３４を通ってろ過済み溝２２に入る（流れの方向は矢印２８により図示される）。ダイアフラム３４は、連続する板３０、３２の溝２０、２２を分離する。
【００３８】
微粒子出口５０は供給入口側面１２の反対側に配置される。ろ過物出口１６、１８は、供給入口側面１２と交差して配置される。ろ過物の流れは矢印２６により示される。集塵室５２が微粒子出口５０に配置されて、供給ガス溝２０内に保持される微粒子を回収する。
【００３９】
溝２０、２２は、供給ガスがダイアフラム３４を通過させるようにする特定のストッパにより詰まることなく、溝長さに沿って通常開放される。微粒子出口５０は集塵室５２により閉じられるため、供給ガスはダイアフラム３４又は多孔性端部壁３８を透過することによってのみフィルタから出ることが出来る。
【００４０】
好適には、集塵室５２は取外し可能にフィルタ１０に接続されるとともに、回収された灰を時々取り除くために取り外し可能である。図の実施形態において、集塵室５２は供給ガス入口１２と同じ高さであるため、図のような水平配置をもたらしている。しかし、ろ過装置が取り付け状態にあるとき、例えば、車両の排気ガス後処理システム内に取り付けられるとき、集塵室５２は測地学的にフィルタ１０より下に取り付けることも可能である。例えば、図のように微粒子出口５０に取り付けられた集塵室５２を有するフィルタ１０を垂直配置（図示せず）へ傾けることも可能であるため、集塵室５２が測地学的にフィルタ１０の下になる。ダクトが、供給入口側面１２の前の供給ガスのために配設可能であり、これによって供給ガス流をフィルタ１０の外の水平な流れからフィルタ１０内への垂直な流れへと偏向させる。
【００４１】
フィルタ１０は立方体の形状を呈する。供給ガス入口１２は立方体の前面にある一方で、２つのろ過物出口１６、１８は、立方体の側壁であるフィルタ１０の対向する２つの側面に設けられる。微粒子出口５０は、供給ガス入口１２の反対側の立方体側面上に配置される。
【００４２】
ダイアフラム３４に付着する煤煙は酸化され、灰は上述のように粘性力及び／又は重力により集塵室５２に運ばれる。
【００４３】
板３０、３２は焼結材料によって製作されうる。焼結材料は、セラミック材料、又、特に好適には金属材料とされうる。触媒を、供給ガス溝２０内、及び／又は、ろ過物ガス溝２２内に設けることが可能である。
【００４４】
図２ａ及び２ｂに、板３０、３２の積層体によって構成される好適なフィルタ１０の他の実施形態が示される。
【００４５】
図２ａに示されるように、板３０、３２は、ダイアフラム３４と波形箔の２つの部品によって形成されて、波形箔は、例えば、三角形の断面を有する。波形箔は、積層体内の連続する板３０、３２のダイアフラム３４間のスペーサーとして機能し、又、分離壁３６を形成することによって各板３０、３２内の平行な溝２０、２２を画定する。各板３０、３２は端部壁３８を呈する。端部壁３８は気密性又は気体透過性であるだろうし、例えば、ダイアフラムの材料により製作される。気密性端部壁３８を用いることにより、供給ガスは、供給ガス溝２０を通ってのみフィルタに入る。
【００４６】
図２ｂに示されるように、積層体は、２つの気密性端板１４ａ、１４ｂ間に取り付けられる。溝２０（数個のみ参照符号を付して図示）を有する第１の供給ガス板３０ａの上に、第２のろ過物板３２が、そのろ過物溝２２を供給ガス溝２０に直交させた状態で取り付けられ、その上に、第３の供給ガス板３０、第４のろ過物板３２、第５の供給ガス板３０、第６のろ過物板３２、第７の供給ガス板３０ｂが続く。最下部及び最上部の供給ガス板３０ａ、３０ｂは、図のようにストッパ４２を備えることが出来る。また、ストッパ４２が設けられない場合、波形箔３６は好適には気体透過性とすることが出来て、これによって供給ガスがこれら最外側板３０ａ、３０ｂ内の行止りの溝２０内に捕らわれることを防ぐ。
【００４７】
矢印２４により示される供給ガス、すなわち未燃焼炭素（煤煙）を運ぶディーゼル機関の排気ガスは供給ガス溝２０内に流入するとともに、ダイアフラム３４を通ってろ過済み溝２２に入る（流れの方向は破線の矢印２８により図示）。ダイアフラム３４は連続する板３０、３２の溝２０、２２を分離する。ろ過物は、ろ過物出口１６、１８からフィルタ１０を出る。ろ過物の流れは矢印２６により示される。
【００４８】
図１ａ、１ｂのように、微粒子出口５０は、供給入口側面１２の反対側に配置され、ろ過物出口１６、１８は供給入口側面１２と交差して配置される。集塵室５２は、微粒子出口５０に配置されて、供給ガス溝２０内に保持される微粒子を回収する。
【００４９】
最外側板３０ａ、３０ｂを除いて、溝２０、２２は、供給ガスがダイアフラム３４を通過させるようにする特定のストッパにより詰まることはなく、通常、その溝長さに沿って開放される。微粒子出口５０は集塵室５２により閉じられるため、供給ガスは、ダイアフラム３４を透過することによってのみフィルタから出る。
【００５０】
次に図３及び図４を参照すると、好適なろ過装置１００が、フィルタ１０上の上面図として示されている。
【００５１】
噴射装置６０は、ろ過物溝２２に直接流体接続してフィルタ１０に結合される。フィルタ１０の説明のために、図１ａ、１ｂ及び図２ａ、２ｂの実施形態を参照して不必要な繰り返しを避ける。噴射装置６０は、１つのろ過物出口、例えば、ろ過物出口１６に置き換わる。
【００５２】
チャンバ６２は、ろ過物出口側面１６に取り付けられるが、チャンバ６２は、噴射装置６０のために入口を有し、且つ、供給ガスの一部分のために噴射装置６０とフィルタ１０との間に界面６４を形成する。供給ガスの一部分は噴射される媒体のための駆動ガスとして、噴射装置６０の方へ方向を変えられる。これを達成するために、流体管路７０（大きい矢印で示される）は、供給ガス管路２０の下流側端部と噴射装置６０との間に設けられる。
【００５３】
流体管路７０は、フィルタ１０と噴射装置６０との間の界面６４と並べて配置される。この配置により、界面６４は、高温の供給ガスと噴射される媒体との間の熱交換器の効果を有することが可能で、噴射される媒体は好適には、尿素、アンモニア、又は、他のアンモニア担体、及び／又は、炭化水素である。
【００５４】
微粒子フィルタ７２の他に、加熱器７４、特には、電気加熱器が流体管路７０内に設けられる。管路７０内の追加のフィルタ７２は、図３では加熱器７４の上流に配置されて、図４では加熱器７４の下流に配置される。
【００５５】
方向が変えられる供給ガスの量は、好適には、供給ガスの１５体積％までの数体積％の間であり、好適には、供給ガスの１０体積％までである。装置は、はるかに多くの割合の供給ガスを方向変更流体管路７０内で取り扱うために設計されることも可能である。流体管路７０を通る流れは、例えば、適切な弁７６により制御可能である。弁７６は、方向が変更された流れを受動的又は能動的に制御出来る。
【００５６】
図３において、フィルタ７２は、フィルタ１０と同じ種類のものとされうるし、同じ灰回収用の集塵室５２を使用することも可能である。
【００５７】
特にウォールフロー式フィルタを備える図４の配置において、供給ガスの方向変更される部分の流れは、エンジン、又は、ＮＯ２ベースの煤煙燃焼がフィルタ１０の再生に十分ではない条件で時々走る自動車の種類に対して、酸素ベースの再生を行うために使用されることも可能である。
【００５８】
灰は容易に除去可能で、微粒子フィルタ１０の再生の間の圧力降下の増大の一因とならない。焼結金属ダイアフラムを用いる場合は、局所的な熱点は、より重要ではない。複数の機能、例えば、酸化触媒、微粒子フィルタ、還元剤の噴射、窒素酸化物除去（部分的）、熱交換器を１つの装置（ろ過装置１００）に一体化させることが可能であり、包装がより困難でなくなる。板３０、３２（図１ａ、図２ａ）のような焼結多孔性金属シートは、類似のセラミックフィルタシートよりはるかに高い強度を呈する。一体化された機能を有する焼結金属ディーゼル微粒子フィルタによる解決策は、セラミック製ディーゼル微粒子フィルタによる解決策に比べて、安価で全体的な解決策を生み出す可能性を有する。例えば、支持溝壁３６に塗布される場合や、特には、波形箔を有する実施形態においては、触媒材料を被覆することは、フィルタ中の圧力降下を増大させることなしに行われるだろう。入口溝２０と出口溝２２とを異なる被膜で被覆することは容易である。
【図１】
0005466168.tif 000002
【図２】
0005466168.tif 000003
【図３】
0005466168.tif 000004
【図４】
0005466168.tif 000005